【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
放射線を電荷に変換するための変換素子と、ゲートとソースとドレインとを有して前記ソース及び前記ドレインの一方が前記変換素子に接続され前記ソース及びドレインの他方が電源に接続されたトランジスタと、を有する画素が複数の行及び複数の列を構成するように複数配された撮像部と、
前記トランジスタを導通状態にする導通電圧と前記トランジスタを非導通状態にする非導通電圧とを選択的に前記トランジスタのゲートに供給する駆動部と、
前記駆動部が、各々が前記複数の行のうちの少なくとも１つの行の前記トランジスタのゲートに対する前記導通電圧の供給を前記複数の行に対して順に行う複数回の第１動作を行い、前記放射線の照射に応答して前記第１動作の前記導通電圧の供給を停止し、前記第１動作の前記導通電圧の供給の停止に応じて前記トランジスタのゲートに対する前記非導通電圧の供給を前記複数の行に対して行う第２動作を行い、前記第２動作の終了に応じて前記複数の行のうちの少なくとも１つの行の前記トランジスタのゲートに対する前記導通電圧の供給を前記複数の行に対して順に行う第３動作を行うように、前記駆動部を制御する制御部と、
を備える放射線撮像装置であって、
前記制御部は、前記複数回の第１動作の各々に要する時間が、前記第３動作に要する時間よりも短く、前記複数回の第１動作の各々において前記導通電圧を供給する時間が、前記第３動作において前記導通電圧を供給する時間よりも短くなるように、前記駆動部を制御する
ことを特徴とする放射線撮像装置。
【請求項２】
前記制御部は、前記第３動作の終了に応じて各々が前記複数の行のうちの少なくとも１つの行の前記トランジスタのゲートに対する前記導通電圧の供給を前記複数の行に対して順に行う複数回の第４動作において前記複数の行のうち前記第１動作の前記導通電圧の供給が停止された行で前記第４動作の前記導通電圧の供給を停止し、前記第４動作の前記導通電圧の供給の停止に応じて前記トランジスタのゲートに対する前記非導通電圧の供給を前記複数の行に対して行う第５動作を行い、前記第５動作の終了に応じて前記複数の行のうちの少なくとも１つの行の前記トランジスタのゲートに対する前記導通電圧の供給を前記複数の行に対して順に行う第６動作を前記駆動部が更に行うように、前記駆動部を制御する
ことを特徴とする請求項１に記載の放射線撮像装置。
【請求項３】
前記第３動作によって得られた第１画像信号と、前記第６動作によって得られた第２画像信号と、を取得する処理部を更に有する
ことを特徴とする請求項２に記載の放射線撮像装置。
【請求項４】
前記処理部は前記第１画像信号と前記第２画像信号との差分を算出して取得する
ことを特徴とする請求項３に記載の放射線撮像装置。
【請求項５】
放射線を電荷に変換するための変換素子を有する画素が複数の行及び複数の列を構成するように複数配された撮像部と、
前記画素の各々に第１信号を供給することによって前記変換素子の各々を初期化し、または、前記画素の各々に第２信号を供給することによって前記変換素子の各々から順に信号を出力させる駆動部と、
前記駆動部が、各々が前記複数の行のうちの少なくとも１つの行の前記画素への前記第１信号の供給を前記複数の行について順に行う複数回の第１動作を行い、前記放射線の照射に応答して前記第１動作を停止して前記画素に電荷を蓄積させる第２動作を行い、前記第２動作の終了に応じて前記複数の行のうちの少なくとも１つの行の前記画素への前記第２信号の供給を前記複数の行について順に行う第３動作を行うように、前記駆動部を制御する制御部と、を備える放射線撮像装置であって、
前記複数回の第１動作の各々に要する時間は、前記第３動作に要する時間よりも短く、前記複数回の第１動作の各々において前記第１信号を供給する時間は、前記第３動作において前記第２信号を供給する時間よりも短い
ことを特徴とする放射線撮像装置。
【請求項６】
前記制御部は、前記第３動作の終了に応じて各々が前記複数の行のうちの少なくとも１つの行の前記画素への前記第１信号の供給を複数の行について順に行う複数回の第４動作を行い、前記複数の行のうち前記第１動作の前記第１信号の供給が停止された行で前記第４動作の前記第１信号の供給を停止して前記画素に電荷を蓄積させる第５動作を行い、前記第５動作の終了に応じて前記複数の行のうちの少なくとも１つの行の前記画素への前記第２信号の供給を前記複数の行に対して順に行う第６動作を前記駆動部が更に行うように、前記駆動部を制御する
ことを特徴とする請求項５に記載の放射線撮像装置。
【請求項７】
前記第３動作によって得られた第１画像信号と、前記第６動作によって得られた第２画像信号と、を取得する処理部を更に有する
ことを特徴とする請求項６に記載の放射線撮像装置。
【請求項８】
前記処理部は前記第１画像信号と前記第２画像信号との差分を算出して取得する
ことを特徴とする請求項７に記載の放射線撮像装置。
【請求項９】
前記第１動作における前記導通電圧を供給する時間をΔｔｏｎ、前記複数の行の行数をｘ、前記第１動作の周期をΔｔ、前記第２動作を開始する時刻をＴ２、前記第４動作を開始する時刻をＴ４としたときに、
Δｔｏｎ＊ｘ＝Δｔ＜（Ｔ４−Ｔ２）／１０の関係が成り立つ
ことを特徴とする請求項２乃至４のいずれか１項に記載の放射線撮像装置。
【請求項１０】
前記第１動作又は第４動作の周期をΔｔ、前記第２動作を開始する時刻をＴ２、前記第５動作を開始する時刻をＴ５、前記変換素子の暗電流の応答特性をｆ（ｔ）、前記第１画像信号と前記第２画像信号との差分を算出して取得された画像信号の標準偏差をσとしたときに、
2013219751.tif 000001
の関係が成り立つ
ことを特徴とする請求項３、請求項４、請求項７および請求項８のいずれか１項に記載の放射線撮像装置。
【請求項１１】
前記第１動作は、前記撮像部における複数の領域ごとに個別にそれぞれ行い、
前記複数の領域のそれぞれは、複数の行を構成する複数の前記画素で構成され、
前記複数の領域のそれぞれは、それに含まれる前記複数の画素のそれぞれを少なくとも１行を単位として周期的にリセットする順番が、隣り合う前記領域と互いに異なる
ことを特徴とする請求項１乃至１０のいずれか１項に記載の放射線撮像装置。
【請求項１２】
前記撮像部にバイアスを印加してから前記第２動作を開始する時刻までの時間が６０秒以内である
ことを特徴とする請求項１乃至１１のいずれか１項に記載の放射線撮像装置。
【請求項１３】
前記撮像部に光を照射してから前記第２動作を開始する時刻までの時間が６０秒以内である
ことを特徴とする請求項１乃至１２のいずれか１項に記載の放射線撮像装置。
【請求項１４】
前記第１乃至第６動作までの一連の動作を６０秒以内で行う
ことを特徴とする請求項２乃至４および請求項６乃至１３のいずれか１項に記載の放射線撮像装置。
【請求項１５】
前記画素の各々における前記変換素子は、放射線を光に変換する蛍光体を有する層と、光電変換素子とを含む
ことを特徴とする請求項１乃至１４のいずれか１項に記載の放射線撮像装置。
【請求項１６】
請求項１乃至１５のいずれか１項に記載の放射線撮像装置と、
前記放射線を発生させるための放射線源と、
を具備することを特徴とする撮像システム。